(57)【要約】【課題】投写画像光を生成するライトバルブへの画像書込を光で行うようにした投写型映像表示装置において、装置本体を移動させずに投写画像をシフトさせるための機構を、大型化、重量化、高コスト化を招来することなく実現する。【解決手段】偏光ビームスプリッタ２４を透過した特定偏光光は書込ライトバルブ（ＬＣＯＳデバイス）２５に照射される。書込ライトバルブ２５は、受け取った特定偏光光を変調することにより画像光を生成する。書込ライトバルブ２５から出射された書込画像光は各読出ライトバルブ３１，３２，３３に照射される。書込ライトバルブ２５はシフト機構によって支持されている。シフト機構は書込ライトバルブ２５を画像書込光軸に垂直な平面内で上下左右にシフトさせる。調整ダイヤル４４２を操作することで書込ライトバルブ２５は移動する。【選択図】図１
2007232800.tif 000002
【特許請求の範囲】
【請求項１】
書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する各色用の読出ライトバルブと、前記書込ライトバルブから出射される書込画像光を各読出ライトバルブに照射する書込光学系と、各読出ライトバルブから出射される各色画像光を合成する手段と、合成された各色画像光を投写する投写光学系と、を備え、前記書込ライトバルブ又は前記書込光学系を画像書込光軸に垂直な平面内で上下及び／又は左右にシフトさせるシフト機構を備えたことを特徴とする投写型映像表示装置。
【請求項２】
書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する一つの読出ライトバルブと、前記書込ライトバルブから出射される書込画像光を前記読出ライトバルブに照射する書込光学系と、前記読出ライトバルブから出射される画像光を投写する投写光学系と、を備え、前記書込ライトバルブ又は前記書込光学系を画像書込光軸に垂直な平面内で上下及び／又は左右にシフトさせるシフト機構を備えたことを特徴とする投写型映像表示装置。
【請求項３】
書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する各色用の読出ライトバルブと、前記書込ライトバルブから出射される書込画像光を各読出ライトバルブに照射する書込光学系と、各読出ライトバルブから出射される各色画像光を合成する手段と、合成された各色画像光を投写する投写光学系と、シフトを示す信号がユーザ操作によって入力されるシフト指示操作部と、を備え、前記ドライバは、前記シフトを示す信号に基づいて、前記書込ライトバルブに書き込む各色用の画像の位置を調整することを特徴とする投写型映像表示装置。
【請求項４】
書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する一つの読出ライトバルブと、前記書込ライトバルブから出射される書込画像光を前記読出ライトバルブに照射する書込光学系と、前記読出ライトバルブから出射される画像光を投写する投写光学系と、シフトを示す信号がユーザ操作によって入力されるシフト指示操作部と、を備え、前記ドライバは、前記シフトを示す信号に基づいて、前記書込ライトバルブに書き込む各色用の画像の位置を調整することを特徴とする投写型映像表示装置。
【発明の詳細な説明】
【技術分野】
【０００１】
この発明は、投写画像光を生成する読出ライトバルブへの画像書込を光で行うようにした投写型映像表示装置に関する。
【背景技術】
【０００２】
投写画像光を生成する読出ライトバルブへの画像書込を光で行うようにした投写型映像表示装置が知られている（特許文献１，特許文献２参照）。一例として図９に従来の投写型映像表示装置１００を示す。白色光源１０１から出射された白色光はパラボラリフレクタによって略平行光化され、インテグレータレンズ１０２へと導かれる。インテグレータレンズ１０２は一対のフライアイレンズ１０２ａ・１０２ｂから構成されており、各レンズ対が白色光源１０１から出射された光を後述する読出ライトバルブの全面に導く。インテグレータレンズ１０２を経た光は、偏光変換装置１０３及び集光レンズ１０４を経た後、第１ダイクロイックミラー１０５へと導かれる。
【０００３】
偏光変換装置１０３は、偏光ビームスプリッタアレイ（以下、ＰＢＳアレイと称する）によって構成されている。ＰＢＳアレイは、偏光分離膜と位相差板（１／２λ板）とを備える。ＰＢＳアレイの各偏光分離膜は、インテグレータレンズ１０２からの光のうち例えばＰ偏光を通過させ、Ｓ偏光を９０°光路偏向する。光路偏向されたＳ偏光は隣接の偏光分離膜にて反射されてそのまま出射される。一方、偏光分離膜を透過したＰ偏光はその前側（光出射側）に設けてある前記位相差板によってＳ偏光に変換されて出射される。すなわち、この場合には、ほぼ全ての光はＳ偏光に変換されるようになっている。
【０００４】
第１ダイクロイックミラー１０５は、第１色光を透過し、第２色光及び第３色光を反射する。第１ダイクロイックミラー１０５を透過した第１色光は傾斜ミラー１０６によって反射される。傾斜ミラー１０６にて反射された第１色光はレンズ１０７を経て第１色光用の透過型の読出ライトバルブ１３１に導かれる。第１色光が読出ライトバルブ１３１を透過することで第１色画像光が生成される。一方、第１ダイクロイックミラー１０５にて反射した光は、第２ダイクロイックミラー１０８に導かれる。
【０００５】
第２ダイクロイックミラー１０８は、第３色光を透過する一方、第２色光は反射する。第２ダイクロイックミラー１０８に反射した第２色光は、レンズ１０９を経て第２色光用の透過型の読出ライトバルブ１３２に導かれる。第２色光が読出ライトバルブ１３２を透過することで第２色画像光が生成される。
【０００６】
前記第１色画像光の光路と前記第２色画像光の光路との交差する位置に第１ダイクロイックキューブ１１２が設けられている。第１ダイクロイックキューブ１１２は第１色光を透過し第２色光を反射する。前記第１色画像光と前記第２色画像光とが第１ダイクロイックキューブ１１２に入射すると、これら前記第１色画像光と前記第２色画像光とが同一方向に導かれる。
【０００７】
第２ダイクロイックミラー１０８を透過した第３色光は、レンズ１１０を経て第３色光用の透過型の読出ライトバルブ１３３に導かれる。第３色光が読出ライトバルブ１３３を透過することで第３色画像光が生成される。第３色画像光の光路は反射プリズム１１１によって９０°偏向される。
【０００８】
光路偏向された第３色画像光の光路と、前記第１色画像光及び前記第２色画像光の合成光路とが交差する位置に第２ダイクロイックキューブ１１３が設けられている。第２ダイクロイックキューブ１１３は第１色光及び第２色光を透過し第３色光を反射する。前記第１色画像光と第２色画像光と第３色画像光とが第２ダイクロイックキューブ１１３に入射すると、これら画像光は同一方向に導かれ、その結果、フルカラー画像光が生成される。
【０００９】
第２ダイクロイックキューブ１１３の光出射側（前記フルカラー画像光が出射される面の近傍）には投写レンズ１１４が設けられている。第２ダイクロイックキューブ１１３から出射されたフルカラー画像光は投写レンズ１１４によって図示しないスクリーンに投写される。
【００１０】
次に、画像書込光学系について説明していく。画像書込光学系は画像書込用の光源として３個の紫外光ＬＥＤ（発光ダイオード）１２１Ａ，１２１Ｂ，１２１Ｃを備える。紫外光ＬＥＤ１２１Ａ，１２１Ｂ，１２１Ｃのピーク波長は互いに異なっている。紫外光ＬＥＤ１２１Ａ，１２１Ｂ，１２１Ｃから出射された紫外光はダイクロイックミラー１２０Ａ，１２０Ｂによって合成される（同一方向に導かれる）。合成された紫外光が棒状のロッドインテグレータ１２２を通ると、このロッドインテグレータ１２２の光出口面には光強度が均一の面光源が形成される。前記光出口面から出射された紫外光はリレーレンズグループ１２３を透過して偏光ビームスプリッタ１２４に導かれる。
【００１１】
偏光ビームスプリッタ１２４を透過した特定偏光光（例えば、Ｐ偏光光）は書込光（前記紫外光）を変調する書込ライトバルブ（ＬＣＯＳデバイス）１２５に照射される。書込ライトバルブ１２５は、図示しないドライバによって時分割で画像を形成する。すなわち、前記ドライバは、第１色映像信号に基づく第１画像の形成、第２色映像信号に基づく第２画像の形成、第３色映像信号に基づく第３画像の形成を時分割で書込ライトバルブ１２５に実行させる。
【００１２】
次に、画像書込光学系について説明していく。各色用の画像書込用の光源として３個の紫外光ＬＥＤ（発光ダイオード）１２１Ａ，１２１Ｂ，１２１Ｃを備える。紫外光ＬＥＤ１２１Ａ，１２１Ｂ，１２１Ｃのピーク波長は互いに異なっている。紫外光ＬＥＤ１２１Ａ，１２１Ｂ，１２１Ｃは所定時間ずつ順次に点灯する。紫外光ＬＥＤ１２１Ａ，１２１Ｂ，１２１Ｃから出射された紫外光はダイクロイックミラー１２０Ａ，１２０Ｂによって同一方向に導かれる。前記紫外光がロッドインテグレータ１２２を通ると、このロッドインテグレータ１２２の光出口面には光強度が均一の面光源が形成される。前記光出口面から出射された紫外光はリレーレンズグループ１２３を透過して偏光ビームスプリッタ１２４に導かれる。
【００１３】
偏光ビームスプリッタ１２４を透過した特定偏光光（例えば、Ｐ偏光光）は書込光（前記紫外光）を変調する書込ライトバルブ（ＬＣＯＳデバイス）１２５に照射される。書込ライトバルブ１２５は、図示しないドライバによって時分割で各色用の画像を形成する。すなわち、前記ドライバは、例えば、紫外光ＬＥＤ１２１Ａが点灯するときに第１色映像信号に基づく第１画像の形成を書込ライトバルブ１２５に実行させ、紫外光ＬＥＤ１２１Ｂが点灯するときに第２色映像信号に基づく第２画像の形成を書込ライトバルブ１２５に実行させ、紫外光ＬＥＤ１２１Ｃが点灯するときに第３色映像信号に基づく第３画像の形成を書込ライトバルブ１２５に実行させる。
【００１４】
書込ライトバルブ１２５は、受け取った特定偏光光を変調することにより画像光を生成する。前記画像光は反射光として得られ且つこの反射光は他の特定の偏光光（例えば、Ｓ偏光光）に変換される。すなわち、書込ライトバルブ１２５に特定偏光光が照射されると、他の特定偏光の書込画像光（Ｓ偏光光）が生成される。書込ライトバルブ１２５から出射された書込画像光は偏光ビームスプリッタ１２４によって反射される。前記書込画像光はイメージングレンズグループ１２６によって第２ダイクロイックキューブ１１３に導かれる。
【００１５】
前記第２ダイクロイックキューブ１１３及び第１ダイクロイックキューブ１１２は、前記紫外光ＬＥＤ１２１Ａ，１２１Ｂ，１２１Ｃからの紫外光に対して波長選択性を有する。ピーク波長が互いに異なる３つの紫外光は分光され、各読出ライトバルブ１３１，１３２，１３３にそれぞれ一つの紫外光（書込画像光）が導かれる。具体的には、第１色映像信号に基づく第１の書込画像光は読出ライトバルブ１３１に照射され、第２色映像信号に基づく第２の書込画像光は読出ライトバルブ１３２に照射され、第３色映像信号に基づく第３の書込画像光は読出ライトバルブ１３３に照射される。
【００１６】
読出ライトバルブ１３１，１３２，１３３は、特許文献１にも記載されているように、例えば、光導電効果を有するＯＡＳＬＭ（Optically Addressed spatial light modulator）から成る。例えば、光導電効果を有する透明電極構造間に液晶層を設けた構造であれば、光を受けた箇所だけ光導電特性が変化し、この受光箇所において液晶への電圧印加状態が変化することにより、液晶の旋回状態を変化させることができる。
【００１７】
また、従来より、装置本体を移動させずに投写画像位置をシフトさせるためのレンズシフト機構が知られている。図８には一例としてベアリング付きのレンズシフト機構２００を示している（特許文献３参照）。
【特許文献１】ＷＯ２００５／１１６７１９
【特許文献２】特開２００３−７８８４２
【特許文献３】特許第３６４３８１７
【発明の開示】
【発明が解決しようとする課題】
【００１８】
しかしながら、投写レンズをシフトさせるレンズシフト機構においては、高い剛性やハイパワーなモーターが必要になる。従って、投写型映像表示装置の大型化、重量化、高コスト化を招来する。
【００１９】
この発明は、上記の事情に鑑み、投写画像光を生成するライトバルブへの画像書込を光で行うようにした投写型映像表示装置において、装置本体を移動させずに投写画像をシフトさせるための機構を、大型化、重量化、高コスト化を招来することなく実現することを目的とする。
【課題を解決するための手段】
【００２０】
この発明の投写型映像表示装置は、上記の課題を解決するために、書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する各色用の読出ライトバルブと、前記書込ライトバルブから出射される書込画像光を各読出ライトバルブに照射する書込光学系と、各読出ライトバルブから出射される各色画像光を合成する手段と、合成された各色画像光を投写する投写光学系と、を備え、前記書込ライトバルブ又は前記書込光学系を画像書込光軸に垂直な平面内で上下及び／又は左右にシフトさせるシフト機構を備えたことを特徴とする。
【００２１】
また、この発明の投写型映像表示装置は、書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する一つの読出ライトバルブと、前記書込ライトバルブから出射される書込画像光を前記読出ライトバルブに照射する書込光学系と、前記読出ライトバルブから出射される画像光を投写する投写光学系と、を備え、前記書込ライトバルブ又は前記書込光学系を画像書込光軸に垂直な平面内で上下及び／又は左右にシフトさせるシフト機構を備えたことを特徴とする。
【００２２】
これらの構成であれば、前記書込ライトバルブ又は前記書込光学系を画像書込光軸に垂直な平面内で上下及び／又は左右にシフトさせるので、装置本体を移動させずに投写画像をシフトさせるための機構を、大型化、重量化、高コスト化を招来することなく実現できる。
【００２３】
また、この発明の投写型映像表示装置は、書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する各色用の読出ライトバルブと、前記書込ライトバルブから出射される書込画像光を各読出ライトバルブに照射する書込光学系と、各読出ライトバルブから出射される各色画像光を合成する手段と、合成された各色画像光を投写する投写光学系と、シフトを示す信号がユーザ操作によって入力されるシフト指示操作部と、を備え、前記ドライバは、前記シフトを示す信号に基づいて、前記書込ライトバルブに書き込む各色用の画像の位置を調整することを特徴とする。
【００２４】
また、この発明の投写型映像表示装置は、書込光を変調する書込ライトバルブと、画像データに基づいて前記書込ライトバルブに画像を書き込むドライバと、前記書込ライトバルブから出射される書込画像光にて画像が書き込まれるとともに受け取った投写用各色光を変調して各色画像光を生成する一つの読出ライトバルブと、前記書込ライトバルブから出射される書込画像光を前記読出ライトバルブに照射する書込光学系と、前記読出ライトバルブから出射される画像光を投写する投写光学系と、シフトを示す信号がユーザ操作によって入力されるシフト指示操作部と、を備え、前記ドライバは、前記シフトを示す信号に基づいて、前記書込ライトバルブに書き込む各色用の画像の位置を調整することを特徴とする。
【００２５】
これらの構成であれば、前記ドライバは、前記シフトを示す信号に基づいて、前記書込ライトバルブに書き込む各色用の画像の位置を調整するので、装置本体を移動させずに投写画像をシフトさせるための機構を、大型化、重量化、高コスト化を招来することなく実現できる。
【発明の効果】
【００２６】
この発明によれば、投写画像光を生成する読出ライトバルブへの画像書込を光で行うようにした投写型映像表示装置において、装置本体を移動させずに投写画像をシフトさせるための機構を従来に比して簡略化できる等の諸効果を奏する。
【発明を実施するための最良の形態】
【００２７】
以下、この発明の実施形態の投写型映像表示装置（プロジェクタ）を図１乃至図７に基づいて説明していく。図１はこの実施形態の投写型映像表示装置５０の光学系を示している。白色光源１から出射された白色光はパラボラリフレクタによって略平行光化され、インテグレータレンズ２へと導かれる。インテグレータレンズ２は一対のフライアイレンズ２ａ・２ｂから構成されており、各レンズ対が白色光源１から出射された光を後述する読出ライトバルブの全面に導く。インテグレータレンズ２を経た光は、偏光変換装置３、及び集光レンズ４を経た後、第１ダイクロイックミラー５へと導かれる。
【００２８】
偏光変換装置３は、偏光ビームスプリッタアレイ（以下、ＰＢＳアレイと称する）によって構成されている。ＰＢＳアレイは、偏光分離膜と位相差板（１／２λ板）とを備える。ＰＢＳアレイの各偏光分離膜は、インテグレータレンズ２からの光のうち例えばＰ偏光を通過させ、Ｓ偏光を９０°光路偏向する。光路偏向されたＳ偏光は隣接の偏光分離膜にて反射されてそのまま出射される。一方、偏光分離膜を透過したＰ偏光はその前側（光出射側）に設けてある前記位相差板によってＳ偏光に変換されて出射される。すなわち、この場合には、ほぼ全ての光はＳ偏光に変換されるようになっている。
【００２９】
第１ダイクロイックミラー５は、青色光を透過し、緑色光及び赤色光を反射する。第１ダイクロイックミラー５を透過した青色光は傾斜ミラー６によって反射される。傾斜ミラー６にて反射された青色光はレンズ７を経て青色光用の透過型の読出ライトバルブ３１に導かれる。青色光が読出ライトバルブ３１を透過することで青色画像光が生成される。一方、第１ダイクロイックミラー５にて反射した光は、第２ダイクロイックミラー８に導かれる。
【００３０】
第２ダイクロイックミラー８は、赤色光を透過する一方、緑色光は反射する。第２ダイクロイックミラー８に反射した緑色光は、レンズ９を経て緑色光用の透過型の読出ライトバルブ３２に導かれる。緑色光が読出ライトバルブ３２を透過することで緑色画像光が生成される。
【００３１】
前記青色画像光の光路と前記緑色画像光の光路との交差する位置に第１ダイクロイックキューブ１２が設けられている。第１ダイクロイックキューブ１２は青色光を透過し緑色光を反射する。前記青色画像光と前記緑色画像光とが第１ダイクロイックキューブ１２に入射すると、これら青色画像光と緑色画像光とが同一方向に導かれ、シアン色画像光が生成される。
【００３２】
第２ダイクロイックミラー８を透過した赤色光は、レンズ１０を経て赤色光用の透過型の読出ライトバルブ３３に導かれる。赤色光が読出ライトバルブ３３を透過することで赤色画像光が生成される。赤色画像光の光路は反射プリズム１１によって９０°偏向される。
【００３３】
光路偏向された赤色画像光と前記シアン色画像光の光路とが交差する位置に第２ダイクロイックキューブ１３が設けられている。第２ダイクロイックキューブ１３は青色光及び緑色光を透過し赤色光を反射する。前記シアン色画像光と前記赤色画像光とが第２ダイクロイックキューブ１３に入射すると、前記シアン色画像光と前記赤色画像光とが同一方向に導かれ、その結果、フルカラー画像光が生成される。
【００３４】
第２ダイクロイックキューブ１３の光出射側（前記フルカラー画像光が出射される面の近傍）には投写レンズ１４が設けられている。第２ダイクロイックキューブ１３から出射されたフルカラー画像光は投写レンズ１４によってスクリーンに投写される。
【００３５】
次に、画像書込光学系について説明していく。画像書込光学系は各色用の画像書込用の光源として３個の紫外光ＬＥＤ（発光ダイオード）２１Ａ，２１Ｂ，２１Ｃを備える。紫外光ＬＥＤ２１Ａ，２１Ｂ，２１Ｃのピーク波長は互いに異なっている（λ１＞λ２＞λ３）。紫外光ＬＥＤ２１Ａ，２１Ｂ，２１Ｃは所定時間ずつ順次に点灯する。紫外光ＬＥＤ２１Ａ，２１Ｂ，２１Ｃから出射された紫外光はダイクロイックミラー２０Ａ，２０Ｂによって同一方向に導かれる。前記紫外光がロッドインテグレータ２２を通ると、このロッドインテグレータ２２の光出口面には光強度が均一の面光源が形成される。前記光出口面から出射された紫外光はリレーレンズグループ２３を透過して偏光ビームスプリッタ２４に導かれる。
【００３６】
偏光ビームスプリッタ２４を透過した特定偏光光（例えば、Ｐ偏光光）は書込光（前記紫外光）を変調する書込ライトバルブ（ＬＣＯＳデバイス）２５に照射される。書込ライトバルブ２５は、図示しないドライバによって時分割で各色用の画像を形成する。すなわち、前記ドライバは、例えば、紫外光ＬＥＤ２１Ａが点灯するときに青色映像信号に基づく第１画像の形成を書込ライトバルブ２５に実行させ、紫外光ＬＥＤ２１Ｂが点灯するときに緑色映像信号に基づく第２画像の形成を書込ライトバルブ２５に実行させ、紫外光ＬＥＤ２１Ｃが点灯するときに赤色映像信号に基づく第３画像の形成を書込ライトバルブ２５に実行させる。
【００３７】
書込ライトバルブ２５は、受け取った特定偏光光を変調することにより画像光を生成する。前記画像光は反射光として得られ且つこの反射光は他の特定の偏光光（例えば、Ｓ偏光光）に変換される。すなわち、書込ライトバルブ２５に特定偏光光が照射されると、他の特定偏光の書込画像光（Ｓ偏光光）が生成される。書込ライトバルブ２５から出射された書込画像光は偏光ビームスプリッタ２４によって反射される。前記書込画像光はイメージングレンズグループ２６によって第２ダイクロイックキューブ１３に導かれる。
【００３８】
第２ダイクロイックキューブ１３及び第１ダイクロイックキューブ１２は、前記紫外光ＬＥＤ２１Ａ，２１Ｂ，２１Ｃからの紫外光に対して波長選択性を有する。従って、ピーク波長が互いに異なる３つの紫外光は分光され、各読出ライトバルブ３１，３２，３３にそれぞれ一つの紫外光（書込画像光）が照射される。具体的には、青色映像信号に基づく第１の書込画像光は読出ライトバルブ３１に照射され、緑色映像信号に基づく第２の書込画像光は読出ライトバルブ３２に照射され、赤色映像信号に基づく第３の書込画像光は読出ライトバルブ３３に照射される。
【００３９】
読出ライトバルブ３１，３２，３３は、特許文献１にも記載されているように、例えば、光導電効果を有するＯＡＳＬＭ（Optically Addressed spatial light modulator）から成る。例えば、光導電効果を有する透明電極構造間に液晶層を設けた構造であれば、光を受けた箇所だけ光導電特性が変化て、この受光箇所において液晶への電圧印加状態が変化することにより、液晶の旋回状態を変化させることができる。読出ライトバルブ３１，３２，３３においては、いわゆる画素電極は不要であり、読出ライトバルブにおける画素は光書込が実行されたときに生じるということができる。この発明においては、書込ライトバルブ２５がシフトされることに鑑み、読出ライトバルブ３１，３２，３３は、前記シフトの範囲内において光書込画像を受け取るべく、大きく形成されている。先述のごとく、読出ライトバルブ３１，３２，３３においては、いわゆる画素電極は不要であり、大きくなってもコストアップは少ない。
【００４０】
図２は書込ライトバルブ２５をシフトしたときの光路変化を、簡略化した光学系上で示した説明図である。書込ライトバルブ２５をシフトすると、全ての読出ライトバルブ３１，３２，３３上において、前記シフト量に応じて書込画像光の位置が共通の方向にシフトする。書込画像光がシフトすると、スクリーン上の投写画像もシフトする。書込ライトバルブ２５に駆動信号を与えるための配線としては、書込ライトバルブ２５がシフトされることに鑑みてフレキシブル配線が用いられる。
【００４１】
図３はイメージングレンズグループ２６をシフトしたときの光路変化を、簡略化した光学系上で示した説明図である。イメージングレンズグループ２６をシフトすると、全ての読出ライトバルブ３１，３２，３３上において、前記シフト量に応じて書込画像光の位置が共通の方向にシフトする。書込画像光がシフトすると、スクリーン上の投写画像がシフトする。
【００４２】
前述した図２の構成を採用する場合、書込ライトバルブ２５の大きさは、図４に示すように、書込光（ＵＶ光）の照射範囲、すなわち、偏光ビームスプリッタ２６の面よりも十分に小さくされる。書込ライトバルブ２５が移動するどの位置でも書込ライトバルブ２５は書込光を受け取ることができる。
【００４３】
書込ライトバルブ２５をシフトさせるライトバルブシフト機構としては、例えば、特開２００４−２４５９５６号公報に開示されているレンズシフト機構を用いることができる。具体的には、図５（ａ）（ｂ）に示すように、この実施形態のライトバルブシフト機構は、第１固定側板材３１１と、第２固定側板材３１２と、ライトバルブホルダー３１３と、駆動機構部３１４Ａ・３１４Ｂとを備えて成る。第２固定側板材３１２は、基準面となる外面をプロジェクタにおけるシャーシに当接させて固定される。書込ライトバルブ２５はライトバルブホルダー３１３に固定されている。ライトバルブホルダー３１３は第１固定側板材３１１と第２固定側板材３１２とに挟まれており、これらにガイドされて上下左右方向に移動できる。ライトバルブホルダー３１３の両面及びこれら面に対面する第１固定側板材３１１及び第２固定側板材３１２の各内面は摺動面を成している。そして、第１固定側板材３１１及び第２固定側板材３１２には書込ライトバルブ２５の移動許容範囲に対応した大きさの方形貫通穴が形成されている。更に、第２固定側板材３１２には駆動機構部３１４Ａ・３１４Ｂにおける一対のピニオン４４１・４４１に対応した開口が形成されており、ライトバルブホルダー３１３には前記ピニオン４４１・４４１が係合される一対のラック３１３ａ・３１３ａが形成されている。ラック３１３ａ・３１３ａの幅は書込ライトバルブ２５の移動許容範囲及びピニオン４４１の歯幅を考慮して設定されている。上記ピニオン４４１・４４１は回転軸４４５に固着されている。回転軸４４５は第２固定側板材３１２の表面に設けられた軸受け３１２ｃによって回転自在に支持されている。
【００４４】
第２固定側板材３１２の縁部には支持部３１２ａが形成されている。支持部３１２ａには第２固定側板材３１２の面と平行に支持穴３１２ｂが形成されており、この支持穴３１２ｂに駆動機構部３１４Ａ・３１４Ｂの調整ダイヤル４４２が挿入されている。調整ダイヤル４４２はウォームギヤ部４４２ａとこのウォームギヤ部４４２ａの頭部側に設けられた摘まみ部４４２ｂとから成る。ウォームギヤ部４４２ａの胴部にはＥリング４４３が係合されており、調整ダイヤル４４２の抜け落ちが生じないようにしている。そして、ウォームギヤ部４４２ａのウォームギヤ領域にウォームホイール４４４が螺合されている。ウォームホイール４４４は前記回転軸の中央側に固着されている。
【００４５】
駆動機構部３１４Ａの調整ダイヤル４４２を回すことでウォームギヤ部４４２ａが回転してウォームホイール４４４が回転する。このウォームホイール４４４が回転することによって回転軸４４５が回転し、ピニオン４４１・４４１が回転する。そして、ピニオン４４１・４４１の回転力がラック３１３ａ・３１３ａに伝達され、ライトバルブホルダー３１３がＣ−Ｄ方向に移動することになる。駆動機構部３１４Ｂ側のラック３１３ａ・３１３ａの凹凸はＣ−Ｄ方向に存在するため、ライトバルブホルダー３１３のＣ−Ｄ方向移動を許容すると共にガイド機能を発揮することになる。同様に、駆動機構部３１４Ｂの調整ダイヤル４４２を回すことでウォームギヤ部４４２ａが回転してウォームホイール４４４が回転する。このウォームホイール４４４が回転することによって回転軸４４５が回転し、ピニオン４４１・４４１が回転する。そして、ピニオン４４１・４４１の回転力がラック３１３ａ・３１３ａに伝達され、ライトバルブホルダー３１３がＥ−Ｆ方向に移動することになる。駆動機構部３１４Ａ側のラック３１３ａ・３１３ａの凹凸はＥ−Ｆ方向に存在するため、ライトバルブホルダー３１３のＥ−Ｆ方向移動を許容すると共にガイド機能を発揮することになる。
【００４６】
上述したライトバルブシフト機構では、基準面となる第２固定側板材３１２の手前面をプロジェクタにおけるシャーシに固定したが、このような構成に限られることはない。基準面となる第１固定側板材３１１の裏面を偏光ビームスプリッタ２４の面に当接させてもよく、これによれば、偏光ビームスプリッタ２４と書込ライトバルブ２５との位置関係が適正に維持される。また、上述したライトバルブシフト機構では、調整ダイヤル４４２を設けることで手動によるシフトを可能にしたが、これに限るものではない。モーターなどを用いた電動アクチュエータにてウォームギヤ部４４２ａを回転させてもよい。前記電動アクチュエータは操作パネルのスイッチ操作でＯＮ／ＯＦＦされる。
【００４７】
イメージングレンズグループ２６をシフトする機構についても、図５に示した構成と同様の構成を採用することができる。ただし、調整ダイヤル４４２による手動操作は容易でないので、モーターなどを用いた電動アクチュエータにてウォームギヤ部４４２ａを回転させる。
【００４８】
上記の例では、書込ライトバルブ２５をシフトさせることとしたが、これに限るものではない。図６に示しているように、書込ライトバルブ２５Ａを備え、この書込ライトバルブ２５Ａに書き込む画像の位置をシフトさせてもよい。書込ライトバルブ２５Ａは書込ライトバルブ２５よりも大きい。例えば、書込ライトバルブ２５の画素数が１０２４×７６８とすると、書込ライトバルブ２５Ａは２０４８×１５３６の画素数を有する。投写型映像表示装置には、シフトを示す信号がユーザ操作によって入力されるシフト指示操作部が設けられる。このシフト指示操作部は、例えば、投写型映像表示装置に設けられた上下調整ボリュームと、左右調整ボリュームと、これらボリュームの抵抗値（電圧値）を得て上下左右調整値を生成する処理部から成る。或いは、リモートコントローラーに設けられた方向指示キーと当該キーが操作されたときの信号を受け取って上下左右調整値をアップ又はダウンする処理部とから成る。
【００４９】
前記ドライバは、前記上下左右調整値に基づいて、前記書込ライトバルブに書込画像の位置をシフトさせる。例えば、上下左右調整値が（３８４，５１２）であるとき、前記ドライバは、書込ライトバルブ２５Ａの上下左右方向の中心位置に画像を書き込む。そして、前記ドライバは、上下左右調整値が（３８５，５１２）となったとき、画像書込位置を上方向に１画素分シフトし、上下左右調整値が（３８３，５１２）となったとき、画像書込位置を下方向に１画素分シフトする。また、前記ドライバは、上下左右調整値が（３８４，５１３）となったとき、画像書込位置を右方向に１画素分シフトし、上下左右調整値が（３８４，５１２）となったとき、画像書込位置を左方向に１画素分シフトする。
【００５０】
なお、図１に示した光学系は一例であり、例えば、一つの紫外光ＬＥＤで３つの互いに波長が異なる紫外光をスイッチング出射する構造を利用できる（特許文献１の図１６Ａ，図１７Ａ，図１７Ｂ参照）。また、３つの色光用の書込光の光路が互いに等価であれば１枚の書込ライトバルブ２５の移動は、３つの光書込画像において共通した方向の移動になるが、３つの色光用の書込光の光路が互いに等価でない場合、例えば一つの光路においてだけリレーレンズ光学系が存在するために画像反転が生じる場合には（特許文献１の図１５参照）、ライトバルブシフト機構を備える構成は適用できない。一方、書込ライトバルブ２５Ａの画像書込位置をシフトする構成は、例えば、青色用の画像書込のシフト方向を、他の色用の画像書込のシフト方向と逆方向にすることができるので、上述した画像反転が生じる場合にも適用することができる。
【００５１】
図７は単板型の投写型映像表示装置を示した説明図である。図１と共通する部材には同一の符号を付記してその説明を省略する。この投写型映像表示装置は光源として赤色ＬＥＤ１Ｒと緑色ＬＥＤ１Ｇと青色ＬＥＤ１Ｒとを備える。これらＬＥＤ１Ｒ，１Ｇ，１Ｂは時分割で順次に点灯する。各ＬＥＤから出射された色光はテーパ型のロッドインテグレータ２７に入射される。各色光がロッドインテグレータ２７を通ると、このロッドインテグレータ２７の光出口面には光強度が均一で且つ光の分散角が低減された面光源が形成される。前記光出口面から出射された各色光は読出ライトバルブ３４を透過してダイクロイックキューブ２８に導かれる。ダイクロイックキューブ２８は紫外光を反射し、可視光を透過する。ダイクロイックキューブ２８に代えて偏光ビームスプリッタを用いることもできる（この場合、読出ライトバルブ３４の光出射側偏光板は不要である）。書込光学系については、図１に示した構成と略同じであるが、１つの紫外光ＬＥＤ２１Ｄを用いれば足りる。この図７に示す単板型の投写型映像表示装置においては、例えば、赤色光用の画像書込→赤色ＬＥＤ１Ｒ点灯→緑色光用の画像書込→緑色ＬＥＤ１Ｇ点灯→青色光用の画像書込→青色ＬＥＤ１Ｂ点灯のサイクルで画像投写が行われる。
【００５２】
このような単板型の投写型映像表示装置においても、書込ライトバルブ２５をシフトさせるシフト機構、或いは、イメージングレンズグループ２６（書込光学系）をシフトさせるシフト機構を設けることができる。また、書込ライトバルブ２５Ａを設け、画像の書込位置をシフトさせることもできる。
【００５３】
なお、単板型の投写型映像表示装置は、図７に示す構成に限られない。
【００５４】
また、３板型の投写型映像表示装置においても、光源１に代えて白色ＬＥＤ或いは各色ＬＥＤなどの固体発光素子を用いることができる。
【図面の簡単な説明】
【００５５】
【図１】この発明の実施形態の投写型映像表示装置の光学系を示した説明図である。
【図２】この発明の実施形態を示す図であって、書込ライトバルブをシフトしたときの光路変化を、簡略化した光学系上で示した説明図である。
【図３】この発明の実施形態を示す図であって、イメージングレンズグループをシフトしたときの光路変化を、簡略化した光学系上で示した説明図である。
【図４】この発明の実施形態を示す図であって、書込光学系を示した斜視図である。
【図５】この発明の実施形態を示す図であって、同図（ａ）は書込ライトバルブのシフト機構を示した断面図であり、同図（ｂ）は同正面図である。
【図６】この発明の実施形態を示す図であって、書込光学系を示した斜視図である。
【図７】この発明の実施形態の単板型の投写型映像表示装置の光学系を示した説明図である。
【図８】レンズシフト機構を示した斜視図である。
【図９】従来の投写型映像表示装置の光学系を示した説明図である。
【符号の説明】
【００５６】
１    光源
１２  第１ダイクロイックキューブ
１３  第２ダイクロイックキューブ
１４  投写レンズ
２１Ａ，２１Ｂ，２１Ｃ  紫外光ＬＥＤ
２５  書込ライトバルブ（ＬＣＯＳ）
２６  イメージングレンズグループ
３１，３２，３３  読出ライトバルブ
【図１】
2007232800.tif 000003
【図２】
2007232800.tif 000004
【図３】
2007232800.tif 000005
【図４】
2007232800.tif 000006
【図５】
2007232800.tif 000007
【図６】
2007232800.tif 000008
【図７】
2007232800.tif 000009
【図８】
2007232800.tif 000010
【図９】
2007232800.tif 000011